(57)【要約】【課題】固定作業を容易に行うことができ、製造コストが廉価な固定具を提供する。【解決手段】第１曲成領域１１には、パイプ材に外嵌させるべく、中間領域１０の長手方向の軸より一方向へ円弧状に突出させて外嵌部１１ｂが形成してあり、この外嵌部１１ｂの前記中間領域１０とは反対側の縁は、第１引掛け部（係止部）１１ａになしてある。一方、第２曲成領域１２には、ユーザが把持し得るように、前記第１引掛け部１１ａの曲げ側とは逆側に、中間領域１０の長手方向の軸より前記一方向と直交する方向へ円弧状に突出させて把持部１２ｂが形成してある。【選択図】図１
0003107936.tif 000002
【実用新案登録請求の範囲】
【請求項１】
被係止部を延設してなる条材を骨材に固定すべく、線材の両端にそれぞれ、前記条材の被係止部に係止させる係止部が設けてあり、両係止部の間に直線状の部分が設けてある固定具において、
前記線材の一方の係止部の近傍に、前記骨材に外嵌させる外嵌部が設けてあり、前記線材の他方の係止部の近傍に、前記線材の長手方向の軸上とは異なる位置で把持可能な把持部が設けてあることを特徴とする固定具。
【請求項２】
前記把持部は、前記線材の一部をその長手方向の軸から突出するように曲成してなる請求項１記載の固定具。
【請求項３】
前記外嵌部は、前記線材の一部をその長手方向の軸から突出するように曲成してなり、前記外嵌部及び把持部は、外嵌部によって囲まれる面と把持部によって囲まれる面とがなす角が略９０°になるようにしてある請求項２記載の固定具。
【考案の詳細な説明】
【技術分野】
【０００１】
本考案は、主に、複数の骨材間に合成樹脂製のシートを展張してなる、所謂ビニルハウスにおいて、前記シートを止めるシート止用条材を固定する固定具に関する。
【背景技術】
【０００２】
複数の骨材間に合成樹脂製のシートを展張してなる、所謂ビニルハウスにあっては、骨材間にシート止用条材を架設しておき、このシート止用条材にシートの一部を係止するようにしてある。かかるシート止用条材を骨材に固定するには、次のような固定具が用いられていた。
【０００３】
図７は、後記する特許文献１に開示された固定具の使用様態を示す分解斜視図であり、図中、５０は固定具、３ａはシート止用条材である。シート止用条材３ａは、端面視が縦断三角フラスコ底部形状をしており、両側壁部の上縁部はそれぞれ外側へ丸め加工してある。そして、シート止用条材３ａ内にシートＳの一部を挿入させた後、その上から、面内交互台形波形状のスプリングＴをシート止用条材３ａ内に嵌入させることによって、シートＳの一部をシート止用条材３ａに係止させるようにしてある。
【０００４】
かかるシート止用条材３ａを骨材たるパイプ材Ｐに固定する固定具５０は、図７に示した如く、鳥口框形状の本体５１と、該本体５１に貫通固定させる端面視がコ字状の楔部材６１とを備えている。即ち、本体５１は、矩形開口を有する横長長方形環状部材を横方向の中央を縦に通る軸を中心に平面視がＵ字状に屈曲させて、パイプ材Ｐに組付ける組付部５２を設けてなり、本体５１の前記組付部５２の底に相当する部分には、シート止用条材３ａの両側部に当接してシート止用条材３ａを挟持する凸状の挟持部５３，５３が、前記矩形開口内へ延出させてある。また、本体５１の両短辺側には平板状の耳部５４，５４がそれぞれ設けてあり、この耳部５４，５４の互いに対向する部分には、前記楔部材６１を貫通させるコ字状の孔５５，５５が開設してある。
【０００５】
このような固定具５０によって、シート止用条材３ａをパイプ材Ｐに固定するには、縦材たるパイプ材Ｐを本体５１の組付部５２内に挿入させて、固定具５０をパイプ材Ｐに外嵌させると共に、このパイプ材Ｐと挟持部５３，５３との間にシート止用条材３ａを挿通させた後、両耳部５４，５４を貫通するように両孔５５，５５内に楔部材６１を挿通させる。このとき、楔部材６１によってパイプ材Ｐがシート止用条材３ａに圧接され、これによってシート止用条材３ａは、パイプ材Ｐと挟持部５３，５３との間に挟持固定される。
【０００６】
【特許文献１】特開２００２−３４５３４６号公報（図３）
【考案の開示】
【考案が解決しようとする課題】
【０００７】
しかしながら、このような従来の固定具５０にあっては、本体５１の組付部５２に内嵌させたパイプ材Ｐと本体５１の挟持部５３，５３との間にシート止用条材３ａを挿通させなければならない上に、両耳部５４，５４の孔５５，５５内に楔部材６１を挿通させなければならず、シート止用条材３ａの固定作業が煩雑であるという問題があった。また、従来の固定具５０は、複雑な形状の本体５１、及び楔部材６１を備えるため、製造コストが高いという問題もあった。
【０００８】
本考案は斯かる事情に鑑みてなされたものであって、固定作業を容易に行うことができ、製造コストが廉価な固定具を提供する。
【課題を解決するための手段】
【０００９】
請求項１記載の本考案は、被係止部を延設してなる条材を骨材に固定すべく、線材の両端にそれぞれ、前記条材の被係止部に係止させる係止部が設けてあり、両係止部の間に直線状の部分が設けてある固定具において、前記線材の一方の係止部の近傍に、前記骨材に外嵌させる外嵌部が設けてあり、前記線材の他方の係止部の近傍に、前記線材の長手方向の軸上とは異なる位置で把持可能な把持部が設けてあることを特徴とする。
【００１０】
請求項２記載の本考案は、前記把持部は、前記線材の一部をその長手方向の軸から突出するように曲成してなることを特徴とする。
【００１１】
請求項３記載の本考案は、前記外嵌部は、前記線材の一部をその長手方向の軸から突出するように曲成してなり、前記外嵌部及び把持部は、外嵌部によって囲まれる面と把持部によって囲まれる面とがなす角が略９０°になるようにしてあることを特徴とする。
【考案の効果】
【００１２】
請求項１記載の本考案では、被係止部を延設してなる条材を骨材に固定する固定具において、線材の両端にそれぞれ、前記条材の被係止部に係止させる係止部が設けてあり、この線材の一方の係止部の近傍に、骨材に外嵌させる外嵌部が設けてある。そして、固定具の一方の係止部を条材の被係止部に係止させると共に、固定具の外嵌部を骨材の周面に外嵌させる。この固定具の前記線材の他方の係止部の近傍に、当該線材の長手方向の軸上とは異なる位置で把持可能な把持部が設けてあり、該把持部を把持して、他方の係止部を条材の被係止部に係止させる。このように、条材を骨材に、工具を用いることなく、ワンタッチで固定することができるため、条材の固定作業が容易である。また、固定具の構造が比較的簡単であり、製造コストが廉価である。
【００１３】
一方、固定具の把持部は、線材の長手方向の軸上とは異なる位置で把持し得るようにしてあるため、他方の係止部を条材の被係止部に係止させる作業を容易に行うことができるのに加え、作業者の指挟み事故等が発生することを回避することができる。
【００１４】
請求項２記載の本考案では、前述した把持部は、線材の一部をその長手方向の軸から突出するように曲成してなるため、製造が容易であり、製造コストを可及的に低減することができるのに加え、突出させた把持部が作業者の手指を傷付ける事故の発生が防止される。
【００１５】
請求項３記載の本考案では、前述した外嵌部は、線材の一部をその長手方向の軸から突出するように曲成してなり、外嵌部及び把持部は、外嵌部によって囲まれる面と把持部によって囲まれる面とがなす角が略９０°になるようにしてあるため、外嵌部を骨材に外嵌させた状態で、把持部はそれを押し上げるのに好適な姿勢になっており、係止作業を更に容易に実施することができる。
【考案を実施するための最良の形態】
【００１６】
本考案は、被係止部を延設してなる条材を骨材に固定すべく、線材の両端にそれぞれ、前記条材の被係止部に係止させる係止部が設けてあり、両係止部の間に直線状の部分が設けてある固定具において、前記線材の一方の係止部の近傍に、前記骨材に外嵌させる外嵌部が設けてあり、前記線材の他方の係止部の近傍に、前記線材の長手方向の軸上とは異なる位置で把持可能な把持部が設けてある。
【００１７】
また、前述した把持部は、線材の一部をその長手方向の軸から突出するように曲成して構成してある。
【００１８】
また、前記外嵌部は、前記線材の一部をその長手方向の軸から突出するように曲成して構成してあり、この外嵌部及び把持部は、外嵌部によって囲まれる面と把持部によって囲まれる面とがなす角が略９０°になるようにしてある。
【００１９】
以下、本考案の実施例を図面に基づいて詳述する。
【実施例１】
【００２０】
図１は、本考案に係る固定具を示す斜視図であり、外径が２〜３ｃｍ程度の丸パイプ材に適用させた場合を示している。図１に示した如く、固定具１は、直径が３ｍｍ程度であり長さが２０ｃｍ程度の金属製の線材を用いてなり、直線分状の線材の両端領域を所定形状に曲成して、第１曲成領域１１及び第２曲成領域１２が設けてある。この第１曲成領域１１と第２曲成領域１２との間は、中間領域１０である。
【００２１】
前述した第１曲成領域１１には、パイプ材に外嵌させるべく、中間領域１０の長手方向の軸より一方向へ円弧状に突出させて外嵌部１１ｂが形成してあり、この外嵌部１１ｂの前記中間領域１０とは反対側の縁は、前記中間領域１０の長手方向の軸と僅かに鈍角を形成する姿勢で、前記長手方向の軸を超えて所要長だけ延設させた後、前記一方向へＵ字状に屈曲させて第１引掛け部（係止部）１１ａになしてある。この第１引掛け部１１ａによって囲まれる面と、前記外嵌部１１ｂによって囲まれる面とがなす角は、略９０°にしてある。
【００２２】
一方、第２曲成領域１２には、ユーザが把持し得るように、前記第１引掛け部１１ａの曲げ側とは逆側に、中間領域１０の長手方向の軸より前記一方向と直交する方向へ円弧状に突出させて把持部１２ｂが形成してある。つまり、把持部１１ｂによって囲まれる面は、前記外嵌部１１ｂによって囲まれる面及び前記第１引掛け部１１ａによって囲まれる面とそれぞれ直交するようにしてあり、把持部１２ｂと第１引掛け部１１ａとは、ねじれの位置関係にしてある。そして、把持部１２ｂの前記中間領域１０とは反対側の縁は、中間領域１０の長手方向の軸より少し延出させた後、前述した第１引掛け部１１ａの端部の方向と同じ方向へ略直角に屈曲させて第２引掛け部（係止部）１２ａになしてある。
【００２３】
次に、このような固定具１を用いてシート止用条材をパイプ材に固定する方法について説明する。
【００２４】
図２〜図５は、図１に示した固定具１によってシート止用条材をパイプ材に固定した状態を示す正面図、背面図、平面図及び側面図であり、図中、３はシート止用条材、Ｐはパイプ材である。なお、これら各図中、図１に示した部分に対応する部分には同じ番号を付してある。
【００２５】
図２〜図５に示した如く、シート止用条材３は、端面視が略Ｈ形をなし、Ｈ形の上側両枝部をハ字形状に成形して溝部３１の側壁部３２，３２が形成してある。また、前記Ｈ形の下側両枝部は、当該両枝部の間の寸法を枝部の端へ向かうに従って僅かに広くして袴部３３，３３にしてある。この両袴部３３，３３の間の寸法は、前記溝部３１の底部の幅寸法より大きい。前記両袴部３３，３３の下縁からそれぞれ取付け壁部（被係止部）３５，３５が、両側壁部３２，３２の間たる内側とは逆の外側へ向かって延設してあり、両取付け壁部３５，３５の縁部はそれぞれ起立させてある。
【００２６】
かかるシート止用条材３を縦に配設されたパイプ部材Ｐの適宜高さ位置に、シート止用条材３の長手方向の軸がパイプ部材Ｐの長手方向の軸と略直交する姿勢で、前記両取付け壁部３５，３５の底部がパイプ部材Ｐの周面に当接するように配置する。
【００２７】
次いで、このシート止用条材３の一方の取付け壁部３５に一の固定具１の第１引掛け部１１ａを係止させると共に、当該固定具１の外嵌部１１ｂをパイプ部材Ｐに外嵌させる。そして、当該固定具１の把持部１２ｂを把持して、当該固定具１の中間領域１０のバネ力に抗して把持部１２ｂ及び第２引掛け部１２ａを引き上げ、当該第２引掛け部１２ａを前記一方の取付け壁部３５に位置を異ならせて係止させる。これによって固定具１の中間領域１０に復元力（バネ力）が発生し、この復元力によって、シート止用条材３がパイプ部材Ｐに圧接され、そこに固定される。
【００２８】
同様に、シート止用条材３の他方の取付け壁部３５に、前記一の固定具１とは向きを逆にした他の固定具１の第１引掛け部１１ａを係止させると共に、当該固定具１の外嵌部１１ｂをパイプ部材Ｐに外嵌させる。そして、当該固定具１の把持部１２ｂを把持して、当該固定具１の中間領域１０のバネ力に抗して把持部１２ｂ及び第２引掛け部１２ａを引き上げ、当該第２引掛け部１２ａを前記他方の取付け壁部３５に位置を異ならせて係止させることによって、シート止用条材３をパイプ部材Ｐに固定する。
【００２９】
このように、本考案に係る固定具１，１にあっては、シート止用条材３をパイプ部材Ｐに、工具を用いることなく、ワンタッチで固定することができるため、シート止用条材３の固定作業が容易である。また、固定具１，１の構造は比較的簡単であり、前述した如く線材の両端領域を曲成して製造されるため、製造コストが廉価である。
【００３０】
ところで、固定具１，１の把持部１２ｂ，１２ｂは、前述した如く中間領域１０，１０の長手方向の軸より突出させてあるため、前述した第２引掛け部１２ａ，１２ａの引き上げ作業を容易に行うことができるのに加え、第２引掛け部１２ａ，１２ａをシート止用条材３の取付け壁部５３，５３に係止させる際に、作業者の指挟み事故等が発生することを回避することができる。
【００３１】
また、固定具１，１の第２引掛け部１２ａ，１２ａをシート止用条材３の取付け壁部５３，５３から取り外すには、把持部１２ｂ，１２ｂを把持して、把持部１２ｂ，１２ｂ及び第２引掛け部１２ａ，１２ａを引き上げた状態で第２引掛け部１２ａ，１２ａを取付け壁部５３，５３から外すことによって行われるが、前述した如く固定具１，１の把持部１２ｂ，１２ｂが中間領域１０，１０の長手方向の軸より突出させてあるため、固定作業と同様、取り外し作業も容易かつ安全に実施することができる。
【００３２】
一方、固定具１，１の外嵌部１１ｂ，１１ｂは円弧状にしてあるため、外嵌部１１ｂ，１１ｂとパイプ部材Ｐとの接触面積が広く、固定具１，１とパイプ部材Ｐとの間に滑りが発生することが防止され、例えばシートの係止によってシート止用条材３に荷重が加えられた場合であっても、シート止用条材３にずれが生じない。
【実施例２】
【００３３】
図６は、図１に示した固定具１によって他のシート止用条材をパイプ材に固定した状態を示す正面図であり、図２に示した袴部３３，３３及び取付け壁部３５，３５を具備しない他のシート止用条材３ａを固定してある。なお、図中、図２に示した部分に対応する部分には同じ番号を付してその説明を省略する。
【００３４】
図６に示した如く、シート止用条材３ａは、端面視が縦断三角フラスコ底部形状をしており、両側壁部（被係止部）３２ａ，３２ａの上縁部はそれぞれ外側へ丸め加工してある。このようなシート止用条材３ａをパイプ部材Ｐに固定するには、シート止用条材Ｐの一方の側壁３２ａに一の固定具１の第１引掛け部１１ａを係止すると共に、当該固定具１の外嵌部１１ｂをパイプ部材Ｐに外嵌させる。そして、当該固定具１の把持部１２ｂを把持して、当該固定具１の中間領域１０のバネ力に抗して把持部１２ｂ及び第２引掛け部１２ａを引き上げ、当該第２引掛け部１２ａを前記一方の側壁部３２ａに位置を異ならせて係止させる。
【００３５】
同様に、シート止用条材３ａの他方の側壁部３２ａに、前記一の固定具１とは向きを逆にした他の固定具１の第１引掛け部１１ａを係止すると共に、当該固定具１の外嵌部１１ｂをパイプ部材Ｐに外嵌させる。そして、当該固定具１の把持部１２ｂを把持して、当該固定具１の中間領域１０のバネ力に抗して把持部１２ｂ及び第２引掛け部１２ａを引き上げ、当該第２引掛け部１２ａを前記他方の側壁部３２ａに位置を異ならせて係止させる。
【００３６】
なお、シート止用条材３ａの両側壁部３２ａ，３２ａの寸法に応じて、固定具１に設けた第１曲成部１１ａ及び第２曲成部１２ａの寸法はそれぞれ調整してある。
【００３７】
このように、本考案に係る固定具１，１によって、端面視が縦断三角フラスコ底部形状をなしたシート止用条材３ａであってもパイプ部材Ｐに容易・安全に固定することができる。
【図面の簡単な説明】
【００３８】
【図１】本考案に係る固定具を示す斜視図である。
【図２】図１に示した固定具によってシート止用条材をパイプ材に固定した状態を示す正面図である。
【図３】図１に示した固定具によってシート止用条材をパイプ材に固定した状態を示す背面図である。
【図４】図１に示した固定具によってシート止用条材をパイプ材に固定した状態を示す平面図である。
【図５】図１に示した固定具によってシート止用条材をパイプ材に固定した状態を示す側面図である。
【図６】図１に示した固定具によって他のシート止用条材をパイプ材に固定した状態を示す正面図である。
【図７】従来の固定具の使用様態を示す分解斜視図である。
【符号の説明】
【００３９】
１      固定具
３      シート止用条材
３ａ    シート止用条材
１１      第１曲成部
１０      中間領域
１１ａ    第１引掛け部
１１ｂ    外嵌部
１２      第２曲成部
１２ａ    第２引掛け部
１２ｂ    把持部
３１      溝部
３２      側壁部
３３      袴部
３５      取付け壁部（被係止部）
３２ａ    側壁部（被係止部）
Ｐ      パイプ部材
Ｓ      シート
Ｔ      スプリング
【図１】
0003107936.tif 000003
【図２】
0003107936.tif 000004
【図３】
0003107936.tif 000005
【図４】
0003107936.tif 000006
【図５】
0003107936.tif 000007
【図６】
0003107936.tif 000008
【図７】
0003107936.tif 000009